【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
特定遊技状態を生起させるか否かを決定する当たり抽選を実行する当たり抽選手段と、
前記当たり抽選の結果に応じて、識別情報の変動表示を実行した後に、当該当たり抽選の結果に応じた態様による識別情報の停止表示を実行する抽選結果表示手段と、
所定条件が成立した場合に、識別情報の変動表示の実行中に、所定演出を実行する所定演出制御手段と、
前記所定演出が実行される場合に、当該所定演出が開始されるまでの残り時間を示唆する示唆情報の表示を含む示唆演出を実行するか否かを決定する示唆演出実行決定手段と、
前記示唆演出実行決定手段により前記示唆演出の実行が決定された場合に、複数の種別のうちから実行する前記示唆演出の種別を決定する示唆演出種別決定手段と、
前記示唆演出種別決定手段により決定された種別に基づく前記示唆演出を実行する示唆演出制御手段と、を備え、
前記示唆演出制御手段は、前記示唆演出種別決定手段により前記複数の種別のうち所定種別が決定された場合に、当該所定種別の前記示唆演出の実行中において、特定演出を実行し、
前記特定演出は、当該示唆演出が示唆する前記所定演出の内容を示唆する演出であることを特徴とする遊技機。
【請求項２】
遊技者による操作が可能な操作手段と、
特定遊技状態を生起させるか否かを決定する当たり抽選を実行する当たり抽選手段と、
前記当たり抽選の結果に応じて、識別情報の変動表示を実行した後に、当該当たり抽選の結果に応じた態様による識別情報の停止表示を実行する抽選結果表示手段と、
所定条件が成立した場合に、識別情報の変動表示の実行中に、所定演出を実行する所定演出制御手段と、
前記所定演出が実行される場合に、当該所定演出が開始されるまでの残り時間を示唆する示唆情報の表示を含む示唆演出を実行するか否かを決定する示唆演出実行決定手段と、
前記示唆演出実行決定手段により前記示唆演出の実行が決定された場合に、複数の種別のうちから実行する前記示唆演出の種別を決定する示唆演出種別決定手段と、
前記示唆演出種別決定手段により決定された種別に基づく前記示唆演出を実行する示唆演出制御手段と、を備え、
前記示唆演出制御手段は、
前記示唆演出種別決定手段により前記複数の種別のうち所定種別が決定された場合に、当該所定種別の前記示唆演出の実行中において、前記操作手段の操作が有効とされる有効期間を設定する有効期間設定手段と、
前記有効期間中における前記操作手段の操作を検出した場合に、特定演出を実行する特定演出制御手段と、を備えることを特徴とする遊技機。
【請求項３】
示唆演出制御手段は、
前記示唆演出の実行中に、表示手段の所定領域において、前記示唆情報を表示し、
前記有効期間中に、前記所定領域において、前記操作手段の操作を促す画像を表示することを特徴とする請求項２に記載の遊技機。
【請求項４】
前記特定演出は、特定演出画像の表示を含み、
前記特定演出制御手段は、前記所定領域において、前記特定演出画像を表示することを特徴とする請求項３に記載の遊技機。
【請求項５】
前記特定演出は、前記示唆情報により示唆されている残り時間が増加される演出であることを特徴とする請求項２乃至４のうちいずれか一項に記載の遊技機。
【手続補正２】
【補正対象書類名】明細書
【補正対象項目名】０００５
【補正方法】変更
【補正の内容】
【０００５】
上記目的を達成するために、第一の発明に係る遊技機は、特定遊技状態を生起させるか否かを決定する当たり抽選を実行する当たり抽選手段と、前記当たり抽選の結果に応じて、識別情報の変動表示を実行した後に、当該当たり抽選の結果に応じた態様による識別情報の停止表示を実行する抽選結果表示手段と、所定条件が成立した場合に、識別情報の変動表示の実行中に、所定演出を実行する所定演出制御手段と、前記所定演出が実行される場合に、当該所定演出が開始されるまでの残り時間を示唆する示唆情報の表示を含む示唆演出を実行するか否かを決定する示唆演出実行決定手段と、前記示唆演出実行決定手段により前記示唆演出の実行が決定された場合に、複数の種別のうちから実行する前記示唆演出の種別を決定する示唆演出種別決定手段と、前記示唆演出種別決定手段により決定された種別に基づく前記示唆演出を実行する示唆演出制御手段と、を備え、前記示唆演出制御手段は、前記示唆演出種別決定手段により前記複数の種別のうち所定種別が決定された場合に、当該所定種別の前記示唆演出の実行中において、特定演出を実行し、前記特定演出は、当該示唆演出が示唆する前記所定演出の内容を示唆する演出であることを特徴とする。
第一の発明に係る遊技機では、示唆演出によって、所定演出が開始されるまでの残り時間が示唆され、特定演出によって、所定演出の内容が示唆される。
これによって、第一の発明に係る遊技機では、演出効果を更に向上することが可能となる。
ここで、特定演出としては、後述する演出内容示唆演出が該当する。
第二の発明に係る遊技機は、遊技者による操作が可能な操作手段と、特定遊技状態を生起させるか否かを決定する当たり抽選を実行する当たり抽選手段と、前記当たり抽選の結果に応じて、識別情報の変動表示を実行した後に、当該当たり抽選の結果に応じた態様による識別情報の停止表示を実行する抽選結果表示手段と、所定条件が成立した場合に、識別情報の変動表示の実行中に、所定演出を実行する所定演出制御手段と、前記所定演出が実行される場合に、当該所定演出が開始されるまでの残り時間を示唆する示唆情報の表示を含む示唆演出を実行するか否かを決定する示唆演出実行決定手段と、前記示唆演出実行決定手段により前記示唆演出の実行が決定された場合に、複数の種別のうちから実行する前記示唆演出の種別を決定する示唆演出種別決定手段と、前記示唆演出種別決定手段により決定された種別に基づく前記示唆演出を実行する示唆演出制御手段と、を備え、前記示唆演出制御手段は、前記示唆演出種別決定手段により前記複数の種別のうち所定種別が決定された場合に、当該所定種別の前記示唆演出の実行中において、前記操作手段の操作が有効とされる有効期間を設定する有効期間設定手段と、前記有効期間中における前記操作手段の操作を検出した場合に、特定演出を実行する特定演出制御手段と、を備えることを特徴とする。
【手続補正３】
【補正対象書類名】明細書
【補正対象項目名】０００６
【補正方法】変更
【補正の内容】
【０００６】
第二の発明に係る遊技機では、所定演出が実行される場合に、所定演出が開始されるまでの残り時間を示唆する示唆情報の表示を含む示唆演出が実行される。特に、所定種別の示唆演出の実行中に、操作手段の操作が有効とされる有効期間が設定される。そして、有効期間中に操作手段の操作が検出された場合には、特定演出が実行される。
これによって、第二の発明に係る遊技機では、示唆演出が単調となることが抑制され、演出効果を向上することが可能となる。
ここで、操作手段としては、後述する演出ボタン５ｂが該当する。特定遊技状態としては、後述する大当たり遊技状態が該当する。当たり抽選手段としては、後述する主制御装置２００（ステップＳ１０２、Ｓ１０６、Ｓ１１３）が該当する。識別情報としては、後述する特別図柄が該当する。抽選結果表示手段としては、後述する主制御装置２００（ステップＳ３５）が該当する。所定条件が成立とは、後述する変動演出決定処理（ステップＳ２５２）において、予告対象演出の実行に係る変動パターンの具体的内容が決定された場合が該当する。所定演出としては、後述する「擬似連続変動表示」、「リーチ演出」、「チャンスアップ演出」及び「当落演出」が該当する。所定演出制御手段としては、後述する演出制御装置３００（ステップＳ２５５）が該当する。示唆情報としては、後述するタイマ画像ｔ（残り時間）が該当する。示唆演出としては、後述するタイマ予告演出が該当する。示唆演出実行決定手段としては、後述する演出制御装置３００（ステップＳ２６２）が該当する。示唆演出種別決定手段としては、後述する演出制御装置３００（ステップＳ２６４）が該当する。示唆演出制御手段としては、後述する演出制御装置３００（ステップＳ２５５）が該当する。所定種別としては、後述する「特殊予告」が該当する。有効期間としては、後述する操作有効期間が該当する。有効期間設定手段としては、後述する演出制御装置３００（ステップＳ２５４）が該当する。特定演出としては、後述するボタン演出が該当する。特定演出制御手段としては、後述する演出制御装置３００（ステップＳ２５５）が該当する。
【手続補正４】
【補正対象書類名】明細書
【補正対象項目名】０００７
【補正方法】変更
【補正の内容】
【０００７】
第三の発明に係る遊技機は、第二の発明に係る遊技機において、示唆演出制御手段は、前記示唆演出の実行中に、表示手段の所定領域において、前記示唆情報を表示し、前記有効期間中に、前記所定領域において、前記操作手段の操作を促す画像を表示することを特徴とする。
第三の発明に係る遊技機では、所定種別の示唆演出に係る有効期間中に、操作手段の操作を促す画像が表示される。特に、操作手段の操作を促す画像が、示唆情報が表示される所定領域において表示される。
これによって、第三の発明に係る遊技機では、遊技者において、操作手段の操作を促す画像をより確実に認識ささることができ、操作手段をより確実に操作させることが可能となる。
ここで、表示手段としては、後述するメイン画像表示装置３１が該当する。所定領域としては、後述する領域ｒが該当する。操作手段の操作を促す画像としては、後述する操作催促画像が該当する。
【手続補正５】
【補正対象書類名】明細書
【補正対象項目名】０００８
【補正方法】変更
【補正の内容】
【０００８】
第四の発明に係る遊技機は、第三の発明に係る遊技機において、前記特定演出は、特定演出画像の表示を含み、前記特定演出制御手段は、前記所定領域において、前記特定演出画像を表示することを特徴とする。
第四の発明に係る遊技機では、所定種別の示唆演出に係る有効期間中に操作手段の操作が検出された場合には、特定演出画像が表示される。特に、特定演出画像が、示唆情報が表示される所定領域において表示される。
これによって、第四の発明に係る遊技機では、遊技者において、示唆情報に対する注目を向上させることが可能となる。
ここで、特定演出画像としては、後述するボタン演出に係る画像（予告演出内容示唆画像及び残り時間加算演出に係る画像）が該当する。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
第五の発明に係る遊技機は、第二乃至第四のうちいずれか一の発明に係る遊技機において、前記特定演出は、前記示唆情報により示唆されている残り時間が増加される演出であることを特徴とする。
第五の発明に係る遊技機では、特定演出によって示唆情報の表示に変化をつけることができ、演出効果を更に向上することが可能となる。
ここで、特定演出としては、後述する残り時間加算演出が該当する。